(57)【要約】【課題】【解決手段】  ボードスポーツ用のシミュレータ１００によって、ライダのスタンスの調整を動的に行うことができ、好適なスタンスを容易に決定することができる。また、このシミュレータは訓練目的で使用することもできる。一対のフットビンディング２ａ、２ｂが回動装着アッセンブリに固定されており、フットビンディングを第１のシミュレータ軸Ａの周りを回動させ、ボードの回動運動をシミュレート、好ましくはボードのエッジからエッジへのロール運動をシミュレートする。フットビンディング２ａ、２ｂは、回動装着アッセンブリに固定されて、縦方向のロール軸Ａに平行に互いに向かう方向にあるいは互いから離れる方向に移動する。調整が、フットビンディングを連結しており、オペレータはライダの足がフットビンディングによって保持され続けている間、ビンディング間のスペースを調整することができる。アラインメント表示デバイス４２が設けられており、ライダの各膝を各対応する足の中央に正しく整列させるようアシストする。装着アッセンブリは、一対の弾性マウントを具え、その間隔を変化させて、より大きなピッチとヨウ運動を提供することができる。【選択図】    図１
2007511274.tif 000002
【特許請求の範囲】
【請求項１】
ボードスポーツ用シミュレータにおいて：
ライダの足を保持する一対のフットビンディングと；
前記フットビンディングを第１のシミュレータ軸の周りを回動させて、ボードの回動運動をシミュレートする回動装着アッセンブリとを具え；
前記フットビンディングの少なくとも一方が前記ピボット装着アッセンブリに取り付けられて、フットビンディングの他方へ向けたおよび他方から離れる方向に移動して、前記ライダの足が前記フットビンディングに保持されている間に前記フットビンディング間のスペースを調整する；
ことを特徴とするシミュレータ。
【請求項２】
請求項１に記載のシミュレータにおいて、前記フットビンディングの前記第１のシミュレータ軸の周りの回動が、ボードの縦軸あるいはロール軸の周りのボードのエッジからエッジへのロール運動をシミュレートするように構成されており、前記フットビンディングの少なくとも一方あるいは、前記フットビンディングの両方が、前記第１のシミュレータ軸に略平行な方向における摺動運動になるように装着されていることを特徴とするシミュレータ。
【請求項３】
請求項１又は２に記載のシミュレータにおいて、前記運動がリニア摺動運動であることを特徴とするシミュレータ。
【請求項４】
請求項１ないし３のいずれかに記載のシミュレータにおいて、前記回動装着アッセンブリが、前記フットビンディングを固定するプラットフォームを具え、当該プラットフォームが前記第１のシミュレータ軸の周りを回動し、スノーボードをシミュレートすることを特徴とするシミュレータ。
【請求項５】
請求項１ないし４のいずれかに記載のシミュレータにおいて、前記第１のシミュレータ軸が前記フットビンディングの下にあることを特徴とするシミュレータ。
【請求項６】
請求項１ないし５のいずれかに記載のシミュレータにおいて、前記回動装着アッセンブリが、前記ブーツビンディングを支持して、前記シミュレータ軸の周りに回動運動を提供すると共に、前記水平プレーンの方向へ各フットビンディングのフット支持面をバイアスする少なくとも一の弾性ピボットを具えることを特徴とするシミュレータ。
【請求項７】
請求項６に記載のシミュレータにおいて、前記回動装着アッセンブリが、前記第１の軸の周りに前記ブーツビンディングの実質的なロール運動を提供するために、広くスペースを開けた位置と、前記第１のシミュレータ軸に直交し、相互に直交するピッチ軸とヨウ軸の周りに増加した度合いの回動運動を提供するように構成された一またはそれ以上の近くに配置した位置のいずれか一つとの間での移動に前記第１のシミュレータ軸に平行な摺動運動のために装着された二つの弾性ピボットを具えることを特徴とするシミュレータ。
【請求項８】
請求項１ないし７のいずれかに記載のシミュレータが更に、少なくとも一のフットビンディングに連結されたスクリュタイプの調整機構であって、前記少なくとも一のフットビンディングを他方の前記フットビンディングの方へおよび他方のビンディングから離れて摺動させて、ライダの足が前記フットビンディングに保持されている間に、ビンディング間のスペースを調整する調整機構を具えることを特徴とするシミュレータ。
【請求項９】
請求項８に記載のシミュレータにおいて、前記ビンディングの両方が、リニア摺動運動をするように装着されており、前記調整機構が：
ハンドルを有するスクリュねじ付き調整ロッドと；
前記調整ロッドの上に受けられているスクリュブロックと；
前記ビンディングに連結された摺動ブロックと；
各摺動ブロックと前記スクリュブロックに連結された回動可能なアームと；
を具えることを特徴とするシミュレータ。
【請求項１０】
請求項１ないし９のいずれかに記載のシミュレータが、更に、前記フットビンディング間のスペースを測定する手段を具えることを特徴とするシミュレータ。
【請求項１１】
請求項１ないし１０のいずれかに記載のシミュレータが更に、ライダの膝を縦方向においてライダの足への整列を補助する整列表示デバイスを具えることを特徴とするシミュレータ。
【請求項１２】
請求項１１に記載のシミュレータにおいて、前記整列表示デバイスが、各フットビンディングに固定された膝受けカップを具え、前記膝受けカップの位置が様々なユーザの膝に整列するように調整可能であり、前記カップが、前記ビンディングのフット支持面に直交する方向に延在する面において調整可能であり、前記ライダの足の中央に整列されることを特徴とするシミュレータ。
【請求項１３】
請求項１１又は１２に記載のシミュレータにおいて、前記整列表示デバイスが、前記ビンディングに固定されており、前記ビンディングのベース又はプラットフォームにほぼ垂直方向に延在し、入れ子式で前記ユーザの高さの異なる膝と縦方向に整列することができるロッドアッセンブリを具えることを特徴とするシミュレータ。
【請求項１４】
請求項１ないし１３のいずれかに記載のシミュレータにおいて、各フットビンディングが前記回動装着アッセンブリに装着されて、前記第１のシミュレータ軸に実質的に交差して直交する方向に延在する各中央軸の周りを相対的に回動し、前記足の中央ラインと前記第１のシミュレータ軸の間の角度を調整することを特徴とするシミュレータ。
【請求項１５】
請求項１ないし１４のいずれかに記載のシミュレータが更に、ライダのシートを具えることを特徴とするシミュレータ。
【請求項１６】
請求項１５に記載のシミュレータが更に、オペレータのシートを具え、前記ライダのシートとオペレータのシートが、前記回動装着アッセンブリ対向する側部に固定されていることを特徴とするシミュレータ。
【請求項１７】
ボードスポーツ用のライダのスタンスを決定する方法において：
ａ）請求項１ないし１６のいずれかに記載のシミュレータを提供するステップと；
ｂ）最初の狭いスタンスにあるフットビンディングにライダの両足を固定するステップと；
ｃ）前記フットビンディング間の間隔を調整して、ライダが第１のシミュレータ軸の周りでバランスを取ろうとしている間にライダのスタンスを広げるステップと；
ｄ）フットビンディング間のスペースを測定するステップと；
を具えることを特徴とする方法。
【請求項１８】
請求項１７に記載の方法において、前記シミュレータが更に、前記ライダの膝を縦方向において各足と整列させるのを補助する整列表示デバイスを具え、前記方法が、前記ステップｄ）の前に、更に、前記整列表示デバイスを使用して前記ライダの膝を縦方向においてライダの足に整列させるステップを具えることを特徴とする方法。
【請求項１９】
請求項１７又は１８に記載の方法において、前記各フットビンディングが、前記回動装着アッセンブリに装着されて、前記第１のシミュレータ軸に実質的に交差し、直交する方向に延在する各中央軸の周りを相対的に回転させる方法において、当該方法が：
各中央軸の周りを各ビンディングを回動させて、前記足の中央ラインとと前記第１のシミュレータ軸の間の角度を調整するステップと；
前記足の中央ラインの角度と前記第１のシミュレータ軸間の角度を計測するステップと；
を具えることを特徴とする方法。
【請求項２０】
添付図面を参照して上述し、添付図面に記載されているシミュレータ。
【発明の詳細な説明】
【技術分野】
【０００１】
本発明は、ボードスポーツ用シミュレータに関する。特に、本発明は、ライダーのスタンスを決定するために、またトレーニングの補助の双方に使用することができるシミュレータに関する。
【背景技術】
【０００２】
近年、スノーボーディング、カイトサーフィン、ウエークボード、モータによるスケートボード、などのボードスポーツが目覚しく成長してきた。対象物が人の手によって扱われるその他のスポーツでは、その人は自分の体と対象物の最適な動きにアプローチしようとする。この最適な動きによって、最小の努力で最大の効果を出すことができる。例えば、スノーボードに乗るときにエッジの上に最大体重を移動させるといったことである。ライダの足と下肢がボードまたはプラットフォームに対してある程度固定されるボードスポーツでは、この最適な移動にアプローチするには正しいスタンスが必要であると一般的に考えられている。
【０００３】
正しくない、あるいはやや最適なスタンスを使用することもできるが、このようなスタンスは、努力を要し、潜在的に高価な学習段階において、初心者に余計な負担をかける。この負担は、よりよいスタンスが最初から取れていれば、低減することができる。最悪なケースは、ライダが、非常に不適当であり、怪我の可能性のある高リスクなスタンスをとることである。
【０００４】
初心者は、しばしば様々なスキルをマスターすることで完全に頭がいっぱいである場合、スタンスの変化の捉えがたい効果は、時に完全に見逃されてしまう。この結果、ライダは、かなりの時間、実験を行うことなく、その最初にボードに設定した特定のスタンスを維持することになる。このことは、初心者がより大きな能力を身につける前に、そのスタンスを変えたがらなくする。
【０００５】
装置の調整に意味のある査定を行うことが難しいため、ライダはスタンスの変化を経験することを更に思いとどまる。走っている間の様々なセッティングの結果を比較しようとすることは、ライダの制御外の変わりやすいことを伴う。
【０００６】
ボードライダのスタンスは、様々な方法で変えることができる。例えば、典型的なスノーボードは、両方の足を支持して縦方向にスペースを開けた２つのブーツビンディングを有している。このビンディングは、スノーボードの縦方向の中央ラインに対して実質的な角度でオフセットされていることがある。このビンディングの交差方向によって、ライダは横−前のスタンスを取ることができる。これは、スノーボードの一般的に行われている最適制御のために必要な身体的な位置である。
【０００７】
ライダがはくブーツまたはビンディング自体のいずれかが、前側に変更可能な角度で倒れる下肢用サポートを有する場合がしばしばある。足の中線とスノーボードの中央線間の角度を調整することによってスタンスを変化させることができ、これは、例えばフリースタイルとスラロームレーシングといった、異なるスノーボーディングスタイル用に有意に変えられる。しかしながら、ボードに対する足の中線の角度が変わると、前側に倒れる角度も変わる。その他の自由な角度にすることも可能であるが、これらの制限内で、身体的な測定及びライダの動的な質に対して理想的なスタンスを最適に適用することができる。
【０００８】
機械的なサーフボードは、サーファがバランスを学習することを助け、サーファのバランス能力に関するスタンスの幅の調整効果を動的に決定する。しかしながら、このサーフボードは、スノーボードなどの、ライダの足が板に対して固定されるボードスポーツのシミュレーションを行うことができない。ライダがトランポリンの上で使用することができるスノーボードシミュレーション装置によれば、プラットフォームに固定された足で動的な状態のシミュレーションを行うことができるが、この装置には、ライダのスタンスの調整効果を決定する手段が設けられていない。
【０００９】
カナダ特許ＣＡ２２０９０３０号、および米国特許ＵＳ４９６６３６４号などの従来技術に記載されたその他のスノーボードシミュレータがある。これらのシミュレータのどれも、ライダにスタンスの調整効果を動的に経験させるものではない。特に、ライダがビンディングでシミュレータに保持されている間にビンディング間のスペースの調整を行うために、前側への移動および互いに離れる方向への移動についてのビンディングの固定に関してはなんら提供するものではない。
【００１０】
ボードスポーツ用にライダのスタンスを決定するデバイスであって、上述の不利益に注意を向けたデバイスを提供することが望まれる。
【００１１】
典型的には、スノーボードの訓練はスキー場で正式なレッスンにおいて及び／又は独学で行われる。スノーボーディングの学習段階は、必ず生じる転倒のため多くの初心者にとって非常に困難で外傷性がある。一方、上述した機械的なサーフボードやスノーボードシュミレーティングデバイスなどのトレーニングデバイスは、初心者が様々なボードスポーツで生じる移動を学ぶのを補助することができるが、これらのデバイスは、学習者のレベルが上がるにつれて移動の困難性もあがるという状態を提供するものではない。段階的な更なるチャレンジを行うことができ、ボードスポーツ用の、比較的アクセスがしやすく、安全な移動を練習する手段は、経験のあるライダと同じように学習段階を強化するであろう。
【００１２】
従って、上述の不利益に取り組むものであり、ボードスポーツの移動における改善された、費用対効果のある、進歩したトレーニングを可能とするトレーニングデバイスの入手が望まれている。
【００１３】
本明細書に記載されている全ての特許または特許出願を含めて、すべての引用例はここに引用されている。いずれの引用例も従来技術に寄与するものではない。引用に関する議論は、著者が何を主張しているか、および出願人が、記載した文献の正確さと関連性に挑戦するべく何の権利を保持しているかを述べるものである。いくつもの従来技術文献がここに引用されているが、この引用は、これらの文献のいずれかがニュージーランドあるいはその他の国において、技術の一般的な知識を構成するものであるという認容に寄与しない。
【００１４】
「具える（comprise）」の用語は、様々な司法権のもと、排他的あるいは包括的ないずれかの意味がある。本明細書の目的のために、および特に記載されていない限り、「具える（comprise）」の用語は、包括的な意味を有するものとする。すなわち、この用語は、直接的な引用であるリストに上げられて部品のみならず、その他の特定されていない部品又はエレメントも含むとの意味である。この理論的解釈は、「具える（comprise）」又は「具えている（comprising）」の用語が方法またはプロセスにおける一またはそれ以上のステップに関連して使用されるときにも用いられる。
【００１５】
本発明の一の目的は、上述した問題点に取り組み、あるいは少なくとも人々に利用できる選択を提供することである。
【００１６】
本発明の更なる態様および利点は、実施例としての後の記載から明らかになる。
【発明の開示】
【００１７】
本発明の一の態様によれば、ボードスポーツ用シミュレータが提供されており、これは：
ライダの足を保持する一対のフットビンディングと；
ボードの回動運動をシミュレートするための第１のシミュレータ軸を中心に前記両フットビンディングを回動させる回動装着アッセンブリと；を具え、
前記フットビンディングの少なくとも一方が、ライダの足が前記フットビンディングによって保持されている間に、前記フットビンディングの他方の前方へ、当該フットビンディングの他方から離れて移動して、前記フットビンディング間のスペースを調整するように前記回動装着アッセンブリに取りつけられていることを特徴とする。
【００１８】
このシミュレータによって、ライダはスノーボード、などの操作に行われる少なくとも一の回動運動をシミュレートできる。このビンディング間の他方に向けたおよび他方から離れる移動は、好ましくは直線移動である。回動ペーブメントが他方の前側にあるいは他方から離れる方向にビンディングの一部を移動させる間、ビンディング全体が相対移動するものでなければならない。好ましくは、この移動が直線的な摺動運動、例えば、少なくとも一のビンディングが直線トラックの上を摺道するために直線状のスロットなどの中に固定されている。これによって、ライダは、第１のシミュレータ軸の周りでのバランス能力において、スタンス幅についての調整効果を動的に決定することが可能である（フットビンディング間のスペースによって決定する）。
【００１９】
好ましい実施例では、前記第１のシミュレータ軸の周りのフットビンディングの回動が、ボードの縦軸またはロール軸の周囲のボードのエッジからエッジへのロール移動をシミュレートするように構成されており、少なくとも一のフットビンディングまたは両方のフットビンディングが、前記第１のシミュレータ軸に略平行な方向における摺動運動用に装着されている。このボードの縦軸またはロール軸の周りの回動は、ボードの反対側の縦エッジ間で体重を移動するのにボードを操作する上で重要であると理解される。
【００２０】
選択的に、シミュレータは、ボードのピッチ軸の周囲及び／又はヨウ軸の周囲の回動あるいは回転をシミュレートするように構成されている。従って、第１のシミュレータ軸の周りの回動に加えて、シミュレータは、相互に直交するピッチおよびヨウ軸であって、双方とも前記第１のシミュレータ軸に直交する軸の周辺を、フットビンディングを共に回動させる手段を具えていても良い。
【００２１】
フットビンディングは第１のシミュレータ軸の周りを回動するために互いに固定されていることが好ましい。フットビンディングは、スノーボードなどをシミュレートするために、プラットフォームに固定されるようにしてもよい。より好ましくは、スノーボードにフットビンディングを装着する方法をシミュレートするために、フットビンディングがブーツビンディングを有することが好ましい。フットビンディングを、好ましくは地上に支持するべく、回動アタッチメントにサポートが固定されている。このサポートにハンドルを固定して、ライダを補助して転倒を防ぐようにしてもよい。
【００２２】
回動装着アッセンブリは、少なくとも一の弾力的なピボットであって、上にブーツビンディングを支持してシミュレータ軸の周りに回動運動を提供する一方で、各フットビンディングのフット支持面を水平面にバイアスすることが好ましい。代替的に、ピボットのアタッチメントが、ジャーナルを具え、弾性手段を分離するようにしてもよい。
【００２３】
もっとも好ましくは、回動装着アッセンブリが、前記第１の軸の周りのブーツビンディングの実質的なロール運動を提供する広くスペースを開けた位置と、相互に直交し、双方とも第１のシミュレータ軸に垂直であるピッチ軸とヨウ軸の周りのビンディングの回動運動の増加した度合いを提供するように構成された、より近いスペースを開けた位置のいずれか一方との間で移動させるように、前記第１のシミュレータ軸に平行な摺動運動用に装着された二つのエラストマでできたピボットを具える。
【００２４】
好ましい実施例では、両方のフットビンディングが、前記第１のシミュレータ軸にほぼ平行な方向におけるフットビンディング間のスペースの調整用に、同時に動くように構成されている。この動きは、例えば、スクリュタイプの調整によって、手動で、あるいは電動リニアアクチュエータなどで、行うことができる。選択的に、フットビンディングの一方あるいは双方を、フットビンディング間のスペースを調整するための移動用の第１のシミュレータ軸に平行に延在するトラックに固定する。フットビンディング間のスペースの調整手段は、好ましくは、スクリュタイプの調整であるが、その他の手動あるいは電動のリニアアクチュエータを使用することもできる。スクリュタイプの調整機構は、好ましくは少なくとも一方のフットビンディングに連結されており、少なくとも一方のフットビンディングを前側および他方のフットビンディングから離れる方向へ摺動させて、ライダの足がフットビンディングによって保持されている間にビンディング間のスペースを調整する。両ビンディングが摺動運動のために装着されると、調整機構は：ハンドルを有するスクリュねじ調整ロッドと；この調整ロッドの上で受けられるスクリュブロックと；ビンディングに連結されたスライディングブロックと、スライディングブロックとスクリュブロックにそれぞれ回動可能に連結されたアームと；を具える。
【００２５】
シミュレータは更に、ルーラなどの、フットビンディングの中央間のスペースを測定する手段を具えていても良い。鉛直線あるいは水準線などのアラインメント表示デバイスを設けて、ライダの膝の中心を足に垂直に整列させる補助を行ってもよい。このアラインメント表示デバイスは、各フットビンディングに固定された膝受けカップを具え、膝受けカップの位置を様々なユーザの膝に合わせて調整できるようにし、カップがビンディングの足支持面に直交する方向に延在する面にあり、ライダの足の中央にほぼ整列するように調整可能であるようにしてもよい。ロッドアッセンブリは、ビンディングに固定して、ビンディングまたはプラットフォームのベースにほぼ直交して延在させ、入れ子式にして、ユーザの様々な高さの膝に縦方向に整列させるようにしてもよい。
【００２６】
フットビンディングの長手方向における調整のこの自由度に加えて、シミュレータが、前記第１のシミュレータ軸と実質的に交差して、直交する方向に延在する中央軸の周りで各フットビンディングを回転させることによってフットビンディングを調整する手段を具えており、足の中央線と第１のシミュレータ軸間の角度を調整することが好ましい。
【００２７】
第１のシミュレータ軸に対して横方向にフットビンディングを移動させる手段を提供してもよい。これらの各調整を提供する手段は、例えば、別のオペレータによって、あるいはライダによって操作される遠隔制御手段によって、フットビンディングにライダを保持する間に調整できるように構成するのが好ましい。
【００２８】
シミュレータは、更に、ビンディングに足が固定された状態のライダが腰掛けることができるライダのシートを具えていることが好ましい。更に、オペレータが調整機構を操作する間に腰掛けられるように、オペレータのシートを提供するようにしてもよい。ライダのシートとオペレータのシートは、回動装着アッセンブリの対向する側部に固定されていることが好ましい。
【００２９】
本発明の別の態様によれば、ボードスポーツ用のシミュレータが提供されており、このシミュレータは：
ライダの足を保持する一対のフットビンディングと；
第１のシミュレータ軸の周りを両フットビンディングを回動させて、ボードの回動運動をシミュレートする回動装着アッセンブリを具え、
この回動装着アッセンブリが、第１の軸の周りにブーツビンディングの実質的なロール運動を提供する広くスペースを開けた位置と、相互に直交し、双方とも第１のシミュレータ軸に垂直であるピッチ軸とヨウ軸の周りのビンディングの回動運動の増加した度合いを提供するように構成されたより近くスペースを開けた位置のいずれか一つとの間で移動させるように、前記第１のシミュレータ軸に平行な摺動運動用に装着された二つのエラストマでできたピボットを具える。
【００３０】
本発明は、効果的で、操作において効率のよいシミュレータを提供するものであり、操作性がよく、ボードライダがスタンスを決定する補助に使用することができ、様々な運動コースにおいてライダの訓練に使用することができるシミュレータを提供する。このシミュレータは、経済的に構成されており、製造コストを最小限に抑えた全体的にシンプルな設計がなされている。
【発明を実施するための最良の形態】
【００３１】
図１ないし図３を参照すると、本発明に係るボードスポーツ用、特にスノーボーディング用のシミュレータ１００は、回動マウント３４の上に支持されたプラットフォームアッセンブリ３３の両側に位置するライダのシート３１とオペレータのシート３２の付いたフレーム３０を有する。プラットフォームアッセンブリ３３は、一対のフットビンディングまたはブーツビンディング２ａ、２ｂが装着されているプラットフォーム５を具え、マウント３４がプラットフォームアッセンブリ３３を第１のシミュレータ軸Ａの周りを主に回動させ、ボードの長手方向の中央ラインの周りをスノーボードのエッジからエッジへのロールをシミュレートする間、ライダの足を保持する。
【００３２】
フレーム３０は、連結部材３７によって固定されている、ライダのシートのフレームワーク３５と、オペレータのシートのフレームワーク３６を具える。フレームワーク３５、３６は双方とも、似たような形状をしており、地上にフレームを支持する水平部材３５ａ、３６ａと、シート３１、３２を支持する３５ｂ、３６ｂを有する。
【００３３】
マウント３４は、連結部材３７の上にリジッドに固定された細長ベース３８を具え、前後の弾性のピボット３ａ、３ｂによって連結されている細長ピボット部材３９を支持している。
【００３４】
ブーツビンディング２ａ、２ｂは、プラットフォーム５内でリニアスロット４１ａ、４１ｂ内に摺動運動するように固定されており、プラットフォームアッセンブリ３３は、更に、ブーツビンディング２ａ、２ｂの摺動運動を制御する回転ハンドル４０を具えている。アラインメント表示デバイス４２が、各ブーツビンディング２ａ、２ｂに固定されている。
【００３５】
図４に最もよく示されている通り、ピボット３ａ、３ｂは、回動部材３９とベース３８をそれぞれ係合してクランプするために、上側および下側あご４４ａ、４４ｂと係合するいずれかの端部から突出している中央のねじ付きシャンク４３の周囲にエラストマ材料でモールドされている。ピボット３ａ、３ｂは、シャンク４３の長手方向の軸に対して対称に、第１のシミュレータ軸Ａを規定する中央のくびれた部分４５のいずれかの側に設けられている。ピボット３ａ、３ｂの上側および下側面は平行であり、プラットフォーム５を水平面に対してバイアスしている。ベース３８は、矩形の中空セクションであり、回動部材とチャネルは、あご４４ａ、４４ｂにアクセスするために切り欠き４８ａ、４８ｂ、４９ａ、４９ｂを具える。回動部材３９は、ベース３８の端部に固定されたエンドプレート４７の間で受けられており、このプレートによって拘束されている。各ピボット３ａ、３ｂのシャンク４３の上側端部は、ピボット３ａ、３ｂの縦方向の位置を変化させるために、回動部材のスロット４６ａ、４６ｂにおいて、ベース３８中の対応するスロット（図示せず）によって受けられている。
【００３６】
図５に示す、調整機構５０は、プラットフォームアッセンブリ３３の一部をなしており、縦方向におけるブーツビンディング２ａ、２ｂ間のスペースを調整するために設けられている。機構５０は、スロット４１ａ、４１ｂ内をブロック５１ａ、５１ｂを摺動させる。ブロック５１ａ、５１ｂは、ブーツビンディング２ａ、２ｂに連結されており、ピボット５４、５５でアーム５１ａ、５１ｂを回動させる。各アームは、スクリュブロック５３に連結されている。ねじ付きシャフト５６は、一端がハンドル４０に固定されており、他端がブロック５３内のねじ付き開口に受けられている。シャフト５６は、サドルブロック５７での回転のためにプラットフォーム５の下側に固定されている。このように、ハンドル４０の同時回転で、ブロック５１ａ、５１ｂがプラットフォーム５の中央位置方向へあるいは中央位置方向から離れる方向にスライドする。測定のしるし（例えばルーラなど−図示せず）、あるいはその他の手段を設けて、オペレータがビンディング２ａ、２ｂの中央間の縦方向のスペースを測定できるようにしている。
【００３７】
シミュレータ１００は、ライダを別のスノーボード（図示せず）の上に支持するように構成することもできる。ブーツビンディング２ａ、２ｂを取り外して、別のスノーボードをプラットフォーム５の上に支持し、スノーボードを弾性の支持パッド７７で正しい位置に保持する。
【００３８】
図６に見られるとおり、ブーツを履いたライダの足と下肢用の装着と支持が、プラットフォームアッセンブリ３３の一部を形成している各個々のビンディング２ａ、２ｂによって提供される。ビンディング２ａ、２ｂは、摺動ブロック５１ａ、５１ｂに、ビンディングディスク５９によって固定され、中央締結具６０によって固定されている。各ビンディングディスク５９は、第１のシミュレータ軸Ａに交差する回転軸Ｂ、Ｃを規定している。（軸ＢとＣは、軸Ａが水平に延在しているときに垂直方向に延在する）。ビンディング２ａ、２ｂの回転運動を制限するストップは設けられておらず、ビンディングは、３６０°回転することができる。ディスク５９によって軸Ｃ、Ｄの周りに連結されているフットプレート６０の回転は、足の中央ライン（すなわち、踵からつま先へのライン）とプラットフォーム５の縦方向の中央ラインとの角度を変える。ディスク５９の上またはフットプレート６０の上にスケール（図示せず）を設けて、決定すべき角度を測定できるようにする。
【００３９】
各フットプレート６０は、図７に示すように、平坦なフット支持面を有する。フットプレート６０の後部には、ハイバックの足サポート１２が装着されている。ハイバックの足サポート１２は、硬質であることが好ましいが、軸Ｂ，Ｃの法線方向の軸の周りの回転を調整して、前側の傾きの度合いを可変としてもよい。ハイバック足サポート１２は、フットプレート６０の対向する平行エッジ６１ａ、６１ｂを摺動可能に受けるための開口６２ａ、６２ｂを有している。フットプレート１６０の前側端部に、溝６５を設けて、アラインメント表示デバイス４２のブラケット６６（図７）を受けるようにしている。足サポート１２に、ばねでバイアスした移動止め６３が固定されており、エッジ６１ａ、６１ｂ内に溝６４と係合している。このようにして、軸Ｂ、Ｃにほぼ直交する軸Ｄの方向においてライダの足の位置を調整する。
【００４０】
アラインメント表示デバイス４２の部品を図７に示す。これは、細長の入れ子式アッセンブリ６７の一方の端部に固定された装着ブラケット６６であって、このブラケットの一端に固定した膝カップ６８を具えるブラケットを有する。入れ子式アッセンブリ６７は、バー６９を具え、このバーに対してＬ字型のブラケットが、バー６９がフットプレート６０の前側及び中央から上側に延在するように固定されている。入れ子式アッセンブリ６７は、更に、バー６９の上で摺動可能に受けられており、バー６９の溝７１に係合して、部材７０の端部に固定された膝受けカップ６８の高さを固定するための固定された移動止め６３を有する細長筒状部材７０を具える。膝受けカップ６８は、部材７０の端部の開口７４で受けられているステム７２を具え、ステム７２の開口７５のいずれか一つ内にあるピン７４によって固定することができる。このようにして、膝受けカップ６８の位置を、プラットフォーム５に直交して延在する平面（図示せず）内で調整し、ライダの足の中央に整列させることができる。
【００４１】
シミュレータ１００は、二つの主たる目的に使用することができる。第１に、ライダのスタンスを動的に調整できるようにして、適当なスタンスを容易に決定できるようにすること、および、第２の目的は、ユーザがボードスポーツに適用可能な移動範囲を実現できるようにすることである。
【００４２】
初心者のライダが好適なスタンスを決定するためには、ピボット３ａ、３ｂを縦方向の最大スペースでクランプする（スロット４６ａ、４６ｂの対向する端部で）。この位置で、プラットフォーム５の移動は、スノーボードのエッジからエッジへのロールをシミュレートする第１のシミュレータ軸Ａの周りの回動に対して大幅に制限される。ライダ（図示せず）は、最初の狭いスタンスにあるビンディング２ａ、２ｂによってシミュレータ１００に固定される。ここでは、ビンディング２ａ、２ｂは縦方向（軸Ａに平行な方向）において、比較的互いに近い。ハイバック足サポート１２は、ライダのブーツのサイズに調整されて、ライダの足をフットプレート６０上の中央に位置させる。ビンディング２ａ、２ｂの角度は、プラットフォーム５に対する法線方向のそれぞれの軸Ｂ、Ｃの周りを回転させることによって好適なはじめのスタンスに調整される。
【００４３】
シート３１からの最初の支持によって、ライダ１は、プラットフォーム５を水平に保ちながら、プラットフォームにたってバランスを取ろうとする、一方で、オペレータはゆっくりとハンドル４０を回して、ビンディング２ａ、２ｂを移動させ、ライダのスタンスを広くする。スタンスが広がると、ライダは、プラットフォームとバランスできる点を感じることができる。この「正しい」スタンスは、縦方向の表示デバイス４２を用いて認証することができる。オペレータは、膝カップ６８の縦及び横方向の位置を調整して、ライダの膝がそこで受けられるようにする。このことは、ライダの膝の中央が彼の膝に正しく整列していることを証明する。
【００４４】
同じ動的プロセスを繰り返して、上述した軸Ｂ、Ｃの周りの各ビンディング２ａ、２ｂの角度を変化させ、ライダの身体的な測定および動的な質に合致した、最適に近い、心地のよいスタンスを決定する。
【００４５】
このシミュレータは、改善されたトレーニングを可能とし、ライダに動きのコースを実行させ、例えば、トレーナが容易に観察して学習プロセスをアシストできるようにする。ピボット３ａ、３ｂの位置を調整することによって、シミュレータの特性を変化させることができる。ピボット３ａ、３ｂは、互いに近く位置させたときに、プラットフォーム５の動きの回転の自由度が増し、一方で、最大スペースのときに、運動は縦方向の軸Ａの回りのロールムーブメントになり、最小スペースのときに、ある程度のピッチとヨウ回転（軸Ａに直交する各軸の周りで）が提供される。運動の自由度の量は、学習プロセスを通じてユーザの進歩に合わせて調整することができ、シミュレータを段階的に使用して、ユーザのスキルが上がった場合でもよりチャレンジできるようにしている。
【００４６】
本発明の態様は、実施例としてのみ述べられており、請求の範囲に規定された範囲から外れることなく、変形および追加が可能であることは自明である。
【図面の簡単な説明】
【００４７】
本発明の更なる態様は、例示の形で与えられている以下の説明と、添付図面を参照して明らかになる。
【図１】図１は、本発明のシミュレータの斜視図である。
【図２】図２は、図１に示すシミュレータの分解図である。
【図３】図３は、図１に示すシミュレータの正面図である。
【図４】図４は、図１に示すシミュレータのマウントの分解図である。
【図５】図５は、図１に示すシミュレータのプラットフォームアッセンブリの一部を示す分解図である。
【図６】図６は、図１に示すシミュレータのブーツビンディングの分解図である。
【図７】図７は、図１に示すシミュレータのアラインメント表示デバイスの分解図である。
【図１】
2007511274.tif 000003
【図２】
2007511274.tif 000004
【図３】
2007511274.tif 000005
【図４】
2007511274.tif 000006
【図５】
2007511274.tif 000007
【図６】
2007511274.tif 000008
【図７】
2007511274.tif 000009
【国際調査報告】
2007511274.tif 000010
2007511274.tif 000011